(57)【要約】【課題】  トーションばねのケースへの組立適性を低下させることなく、回動式のドアをスムーズに開閉させることができる記録テープカートリッジの提供を課題とする。【解決手段】  記録テープＴが巻装された単一のリール１８を回転可能に収容するケース１２と、記録テープＴを引き出すために、ケース１２に形成された開口２０と、ケース１２の高さ方向に架設された支軸２５を中心に回動して開口２０を開閉するドア３０と、ドア３０を開口２０の閉塞方向へ付勢するトーションばね４４と、を備えた記録テープカートリッジ１０において、ドア３０が、高さ方向上端部に設けられ、支軸２５を挿通させる第１貫通孔３２Ａが穿設された第１鍔部３２と、高さ方向下端部に設けられ、支軸２５を挿通させる第２貫通孔３４Ａが穿設された第２鍔部３４と、を有し、第１鍔部３２と第２鍔部３４との間に、トーションばね４４を収容する構成とする。【選択図】      図４
2006244619.tif 000002
【特許請求の範囲】
【請求項１】
記録テープが巻装された単一のリールを回転可能に収容するケースと、
前記記録テープを引き出すために、前記ケースに形成された開口と、
前記ケースの高さ方向に架設された支軸を中心に回動して前記開口を開閉するドアと、
前記ドアを前記開口の閉塞方向へ付勢するトーションばねと、
を備えた記録テープカートリッジにおいて、
前記ドアは、
前記高さ方向上端部に設けられ、前記支軸を挿通させる第１貫通孔が穿設された第１鍔部と、
前記高さ方向下端部に設けられ、前記支軸を挿通させる第２貫通孔が穿設された第２鍔部と、を有し、
前記第１鍔部と前記第２鍔部との間に、前記トーションばねを収容することを特徴とする記録テープカートリッジ。
【請求項２】
前記第１鍔部及び第２鍔部の外面で、かつ前記第１貫通孔及び第２貫通孔の周りに凸部を形成し、前記ドアと前記ケースとの間に高さ方向のクリアランスを形成したことを特徴とする請求項１に記載の記録テープカートリッジ。
【請求項３】
前記トーションばねの一端部が、前記ドアの高さ方向略中央に配置され、前記トーションばねの他端部が、前記ドアの上端部又は下端部に近接配置されて、前記ケースに係止されることを特徴とする請求項１又は請求項２に記載の記録テープカートリッジ。
【請求項４】
前記ケースが、上ケースと下ケースとを接合して構成され、
前記支軸が、
前記下ケースに突設され、前記第２鍔部の第２貫通孔に挿通される突出軸と、
前記上ケースに突設され、前記第１鍔部の第１貫通孔に挿通されるとともに、前記突出軸の先端部を挿通可能な穴部を有するボスと、で構成されるか、
前記上ケースに突設され、前記第１鍔部の第１貫通孔に挿通される突出軸と、
前記下ケースに突設され、前記第２鍔部の第２貫通孔に挿通されるとともに、前記突出軸の先端部を挿通可能な穴部を有するボスと、で構成され、
前記支軸の近傍に前記上ケースと前記下ケースとを接合するためのビスボスを配設したことを特徴とする請求項１乃至請求項３の何れか１項に記載の記録テープカートリッジ。
【請求項５】
前記トーションばねのコイル部が、前記第２鍔部又は前記第１鍔部と、前記ボスとの間に収容されることを特徴とする請求項４に記載の記録テープカートリッジ。
【請求項６】
前記トーションばねの前記ケースに係止される他端部を仮保持する仮保持部を、前記ドアに形成したことを特徴とする請求項３乃至請求項５の何れか１項に記載の記録テープカートリッジ。
【請求項７】
前記トーションばねの一端部が係止される係止部を、前記ドアに形成したことを特徴とする請求項３乃至請求項６の何れか１項に記載の記録テープカートリッジ。
【請求項８】
前記ドアが、
前記高さ方向略中央に設けられ、前記支軸を挿通させる第３貫通孔が穿設された第３鍔部を有し、
前記第２鍔部又は前記第１鍔部と、前記第３鍔部との間に、前記トーションばねを収容することを特徴とする請求項１乃至請求項４の何れか１項に記載の記録テープカートリッジ。
【発明の詳細な説明】
【技術分野】
【０００１】
本発明は、主にコンピューター等の記録再生媒体として使用される磁気テープ等の記録テープが巻装された単一のリールをケース内に収容してなる記録テープカートリッジに関する。
【背景技術】
【０００２】
従来から、コンピューター等のデータ記録再生媒体として使用されている磁気テープ等の記録テープを単一のリールに巻装し、そのリールをケース内に回転可能に収容してなる記録テープカートリッジが知られている。この記録テープカートリッジのケースには、記録テープを引き出すための開口が形成されており、その開口を開閉するドアが設けられているものがある。
【０００３】
ドアとしてはスライド式や回動式が知られており、通常、開口を閉塞する方向に、コイルばねやトーションばね等の付勢手段によって付勢されている。例えば回動式のドアの場合には、付勢手段としてトーションばねが使用されるが、そのトーションばねは、ケースへの組立適性を考慮して、ドアの下端面とケースの底板内面の間に配置されることが多い。すなわち、ケースに突設された支軸に、トーションばねのコイル部が挿嵌された後、ドアの回動支点となる部位が挿嵌されるようになっている（例えば、特許文献１参照）。
【特許文献１】特開２０００−１１５９１号公報
【発明の開示】
【発明が解決しようとする課題】
【０００４】
しかしながら、このような構成であると、ドアはケースに対して常時上方に向けて付勢されることになるので、ドアの回動支点となる部位に穿設された貫通孔と、それに挿通される支軸とのクリアランス、及びドアとケースとの間に設けられた高さ方向のクリアランスにより、常時傾いた状態で開閉され、その開閉力がばらついてしまうという問題があった。つまり、ドアに不必要な回転モーメントが加わり、ドアを開閉（回動）させ難くなるという問題があった。
【０００５】
そこで、本発明は、このような問題点に鑑み、トーションばねのケースへの組立適性を低下させることなく、回動式のドアをスムーズに開閉させることができる記録テープカートリッジを得ることを目的とする。
【課題を解決するための手段】
【０００６】
上記の目的を達成するために、本発明に係る請求項１に記載の記録テープカートリッジは、記録テープが巻装された単一のリールを回転可能に収容するケースと、前記記録テープを引き出すために、前記ケースに形成された開口と、前記ケースの高さ方向に架設された支軸を中心に回動して前記開口を開閉するドアと、前記ドアを前記開口の閉塞方向へ付勢するトーションばねと、を備えた記録テープカートリッジにおいて、前記ドアが、前記高さ方向上端部に設けられ、前記支軸を挿通させる第１貫通孔が穿設された第１鍔部と、前記高さ方向下端部に設けられ、前記支軸を挿通させる第２貫通孔が穿設された第２鍔部と、を有し、前記第１鍔部と前記第２鍔部との間に、前記トーションばねを収容することを特徴としている。
【０００７】
請求項１に記載の発明によれば、第１鍔部と第２鍔部の間にトーションばねを収容するので、回動式のドアがケースに対して上方又は下方に付勢されることがない。したがって、そのドアに対して不必要な回転モーメントが加わるような不具合はなく、そのドアをスムーズに開閉させることができる。
【０００８】
また、請求項２に記載の記録テープカートリッジは、請求項１に記載の記録テープカートリッジにおいて、前記第１鍔部及び第２鍔部の外面で、かつ前記第１貫通孔及び第２貫通孔の周りに凸部を形成し、前記ドアと前記ケースとの間に高さ方向のクリアランスを形成したことを特徴としている。
【０００９】
請求項２に記載の発明によれば、第１鍔部及び第２鍔部の外面に凸部を形成することにより、ドアとケースとの間に高さ方向のクリアランスを確保することができるので、ドアのケースに対する摺動抵抗を低減することができる。つまり、そのドアをより一層スムーズに開閉させることができる。
【００１０】
また、請求項３に記載の記録テープカートリッジは、請求項１又は請求項２に記載の記録テープカートリッジにおいて、前記トーションばねの一端部が、前記ドアの高さ方向略中央に配置され、前記トーションばねの他端部が、前記ドアの上端部又は下端部に近接配置されて、前記ケースに係止されることを特徴としている。
【００１１】
請求項３に記載の発明によれば、ドアに対するトーションばねの付勢力は、そのドアの略中央に加わるので、安定してドアを開閉することができる。つまり、ドアに対して不必要な回転モーメントが加わるような不具合がなく、これによって、ドアをスムーズに開閉させることができる。
【００１２】
また、請求項４に記載の記録テープカートリッジは、請求項１乃至請求項３の何れか１項に記載の記録テープカートリッジにおいて、前記ケースが、上ケースと下ケースとを接合して構成され、前記支軸が、前記下ケースに突設され、前記第２鍔部の第２貫通孔に挿通される突出軸と、前記上ケースに突設され、前記第１鍔部の第１貫通孔に挿通されるとともに、前記突出軸の先端部を挿通可能な穴部を有するボスと、で構成されるか、前記上ケースに突設され、前記第１鍔部の第１貫通孔に挿通される突出軸と、前記下ケースに突設され、前記第２鍔部の第２貫通孔に挿通されるとともに、前記突出軸の先端部を挿通可能な穴部を有するボスと、で構成され、前記支軸の近傍に前記上ケースと前記下ケースとを接合するためのビスボスを配設したことを特徴としている。
【００１３】
請求項４に記載の発明によれば、例えば落下等により、ケースのドアが設けられている側に衝撃が加わっても、その衝撃を支軸ではなく、ビスボスで受け止めることができる。つまり、落下等によりドア付近のケースに衝撃が加わっても、ドアの開閉に影響が及ばないようにできる。
【００１４】
また、請求項５に記載の記録テープカートリッジは、請求項４に記載の記録テープカートリッジにおいて、前記トーションばねのコイル部が、前記第２鍔部又は前記第１鍔部と、前記ボスとの間に収容されることを特徴としている。
【００１５】
請求項５に記載の発明によれば、支軸に挿嵌されたトーションばねが上下方向（高さ方向）に移動することがないので、ドアに対するトーションばねの付勢力は、そのドアの略中央に確実に加わる。したがって、ドアを安定してスムーズに開閉することができる。
【００１６】
また、請求項６に記載の記録テープカートリッジは、請求項３乃至請求項５の何れか１項に記載の記録テープカートリッジにおいて、前記トーションばねの前記ケースに係止される他端部を仮保持する仮保持部を、前記ドアに形成したことを特徴としている。
【００１７】
請求項６に記載の発明によれば、ケース側に係止させるトーションばねの他端部をドアに仮保持させることができるので、ドアとトーションばねをケースに組み込む作業が容易にできる。つまり、このような構成にすれば、ケースへのトーションばねの組立適性を向上させることができる。
【００１８】
また、請求項７に記載の記録テープカートリッジは、請求項３乃至請求項６の何れか１項に記載の記録テープカートリッジにおいて、前記トーションばねの一端部が係止される係止部を、前記ドアに形成したことを特徴としている。
【００１９】
請求項７に記載の発明によれば、係止部によってトーションばねの一端部が係止されるので、ドアとトーションばねをケースに組み込む作業が容易にできる。つまり、このような構成にすれば、ケースへのトーションばねの組立適性を向上させることができる。
【００２０】
また、請求項８に記載の記録テープカートリッジは、請求項１乃至請求項４の何れか１項に記載の記録テープカートリッジにおいて、前記ドアが、前記高さ方向略中央に設けられ、前記支軸を挿通させる第３貫通孔が穿設された第３鍔部を有し、前記第２鍔部又は前記第１鍔部と、前記第３鍔部との間に、前記トーションばねを収容することを特徴としている。
【００２１】
請求項８に記載の発明によれば、ドアの高さ方向略中央に設けられた第３鍔部によって、支軸に挿嵌されたトーションばねが上下方向（高さ方向）に移動することがないので、ドアに対するトーションばねの付勢力は、そのドアの略中央に確実に加わる。したがって、ドアを安定してスムーズに開閉することができる。また、このような第３鍔部を設ければ、トーションばねの一端部を係止する係止部が不要となる。
【発明の効果】
【００２２】
以上、何れにしても本発明によれば、トーションばねのケースへの組立適性を低下させることなく、回動式のドアをスムーズに開閉させることができる記録テープカートリッジを提供することができる。
【発明を実施するための最良の形態】
【００２３】
以下、本発明の最良な実施の形態を図面に示す実施例を基に詳細に説明する。図１は本発明に係る記録テープカートリッジを示す概略斜視図であり、図２、図３はその開口付近の概略斜視図である。また、図４は開口付近の概略分解斜視図であり、図５、図６はその開口付近の概略平面図である。なお、説明の便宜上、記録テープカートリッジのドライブ装置への装填方向を矢印Ａで表し、それを前方向とする。また、矢印Ｂを左方向とし、それらを基準に前後・左右・上下の表現をする。
【００２４】
図１乃至図４で示すように、記録テープカートリッジ１０は、略矩形箱状のケース１２を有している。このケース１２は、ＰＣ等の合成樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、ねじ止めによって接合されて構成されている。なお、上ケース１４と下ケース１６の接合手段は、ねじ止めに限定されるものではなく、例えば超音波溶着等によって接合してもよい。
【００２５】
また、ケース１２の内部には、単一のリール１８が回転可能に収容されている（図２、図３ではその一部が示されている）。リール１８には、情報記録再生媒体としての磁気テープ等の記録テープＴが巻装されている。また、リール１８の下面にはリールギア（図示省略）が環状に形成されており、下ケース１６に穿設されたギア開口（図示省略）から露出するようになっている。
【００２６】
記録テープカートリッジ１０の左前方側のコーナー部１２Ｃ付近には、リール１８に巻装された記録テープＴを外部に引き出すための開口２０が形成されている。すなわち、コーナー部１２Ｃに隣接する前壁１２Ａと左側壁１２Ｂとに跨って開口２０が形成され、その開口２０から、記録テープＴの端部に固着され、左側壁１２Ｂに沿って配置されたリーダーテープ２２が引き出されるようになっている。
【００２７】
なお、ここで言うコーナー部１２Ｃとは、略矩形箱状ケース１２の周壁１４Ｂ、１６Ｂにおいて、前壁１２Ａと左側壁１２Ｂとが平面視で略直角に交わっている稜線部分を指している。また、開口２０は、左前方側のコーナー部１２Ｃ付近に設けられる場合に限定されるものではなく、例えば右前方側のコーナー部１２Ｄ付近に設けられる場合もある。
【００２８】
また、リーダーテープ２２は、ドライブ装置の引出部材（図示省略）が記録テープＴを引き出すために係合する被引出部材であり、その先端近傍には引出部材が係合する孔部２２Ａが穿設されている。そして、その孔部２２Ａの先端よりも若干後方側（リーダーテープ２２の先端近傍）の上下両サイドには、それぞれ上下方向に向かって張り出す張出部２２Ｂが形成されている。
【００２９】
この張出部２２Ｂが、上ケース１４の天板１４Ａ内面及び下ケース１６の底板１６Ａ内面にそれぞれ形成されたスロット部２４に収納（挿入）されることにより、リーダーテープ２２がケース１２内に保持されるようになっている。
【００３０】
すなわち、このスロット部２４は、左側壁１２Ｂと、その左側壁１２Ｂと所定の間隙を有するように立設された規制壁２３とで構成され、規制壁２３の後端は、図５、図６で示すように、左側壁１２Ｂと一体に連設して後方側を閉塞する後壁２３Ｂとされている。したがって、リーダーテープ２２は、その張出部２２Ｂが後壁２３Ｂによって位置規制された状態で、左側壁１２Ｂに沿って配置される。
【００３１】
また、規制壁２３の前端は、ケース１２の形状に略沿うようにして屈曲形成され、スロット部２４の前方側を開口２０に臨ませて開放している。そして、その開口２０は、記録テープカートリッジ１０の不使用時にはドア３０によって閉塞される。このドア３０は、開口２０と略同じ形状及び大きさの平面視略「Ｌ」字状に形成されている。
【００３２】
また、ドア３０の内面で、その屈曲された部位よりも右側の上部及び下部には、開口２０の閉塞時、前壁１２Ａ側へ屈曲された規制壁２３の前面２３Ａに当接する凸部３０Ｄが一体に形成されている。そして、ドア３０の左側壁１２Ｂ側の先端部３０Ｃは側面視略台形状に形成されている。なお、このドア３０は、ＰＯＭ等のオレフィン系樹脂で成形されるのが好ましいが、ＰＣ等の樹脂やＳＵＳ等の金属で成形してもよい。
【００３３】
また、そのドア３０の回動支点となる支軸２５が、上ケース１４及び下ケース１６の前壁１２Ａ側にそれぞれ突設されている。この支軸２５は、図４で示すように、上ケース１４側が円筒状のボス２６になっており、下ケース１６側が２段円柱状の突出軸２８になっている。そして、その突出軸２８の小径とされた先端部（上端部）２８Ａが、ボス２６に形成された穴部２６Ａに、径方向に所定のクリアランスを有して嵌合する（挿入される）ことにより、支軸２５が構成されるようになっている。
【００３４】
なお、ボス２６の外径は、突出軸２８（先端部２８Ａを除く）の外径よりも若干大径とされており、後述するように、トーションばね４４を保持できるようになっている。また、ボス２６の高さは、周壁１４Ｂの高さと略同等とされ、突出軸２８の先端部２８Ａを除く部位の高さは、周壁１６Ｂの高さと略同等とされている。つまり、ボス２６と突出軸２８とは、側面視でケース１２のパーティングラインと略同じ高さ位置で接合される（嵌合する）構成になっている。
【００３５】
また、ドア３０の内面で、かつ右端部近傍（右端部より所定距離左方へずれた位置）の上端部及び下端部には、同形平板状の回転摺動部（鍔部）３２、３４が平行に突設されている。各回転摺動部３２、３４には、図４で示すように、支軸２５、即ちボス２６及び先端部２８Ａを除く突出軸２８が、所定のクリアランスを有してそれぞれ挿通する貫通孔３２Ａ、３４Ａが穿設されている。
【００３６】
したがって、貫通孔３２Ａ、３４Ａの径は、それぞれボス２６の外径と突出軸２８（先端部２８Ａを除く）の外径に対応して異なっている。つまり、ボス２６が挿通する貫通孔３２Ａの径は、突出軸２８が挿通する貫通孔３４Ａの径よりも大径とされており、貫通孔３２Ａにボス２６が挿通され、貫通孔３４Ａに突出軸２８が挿通されることにより、ドア３０が回動可能に支持される構成になっている。
【００３７】
また、ドア３０の上端部に設けられた回転摺動部３２の上面（外面）と、ドア３０の下端部に設けられた回転摺動部３４の下面（外面）には、それぞれ貫通孔３２Ａ、３４Ａ周りに、所定高さの環状凸部３８が形成されている。そして、この環状凸部３８が、それぞれ上ケース１４の天板１４Ａ内面と下ケース１６の底板１６Ａ内面に接触することにより、ドア３０の上端面３０Ａと上ケース１４の天板１４Ａ内面との間、及びドア３０の下端面３０Ｂと下ケース１６の底板１６Ａ内面との間に、それぞれ０．３ｍｍ〜０．５ｍｍ程度の隙間（高さ方向のクリアランス）Ｗが形成されるようになっている（図２参照）。
【００３８】
また、図３乃至図６で示すように、回転摺動部３２、３４間のドア３０の内面には、支軸２５（ボス２６及び突出軸２８）の周面に略沿った平断面視円弧状の隆起部４０が形成されている。そして、支軸２５（突出軸２８）には、ドア３０を常時開口２０の閉塞方向へ付勢するトーションばね４４のコイル部４４Ａが挿嵌されている。
【００３９】
すなわち、ボス２６の穴部２６Ａ周りの下面（先端面）２６Ｂは、突出軸２８の周りに環状に張り出し、回転摺動部３４の貫通孔３４Ａは、突出軸２８が所定のクリアランスを有して挿通可能な程度に、その径が貫通孔３２Ａよりも小さく形成されている。したがって、コイル部４４Ａの下端を貫通孔３４Ａ周りの回転摺動部３４で支持でき、コイル部４４Ａの上端をボス２６の下面（先端面）２６Ｂで規制することができる。つまり、回転摺動部３４とボス２６との間に、トーションばね４４を収容保持できる構成になっている。
【００４０】
また、トーションばね４４の一方の端部及び他方の端部は所定角度に曲折されており、その一方の端部に形成された曲折部４４Ｂが、ドア３０（隆起部４０）の高さ方向略中央に係止され、他方の端部に形成された曲折部４４Ｃが、ケース１２のビスボス５０（トーションばね４４は下ケース１６側に配置されるので、図４で示す下ケース１６に突設されたビスボス５０Ｂ）に係止されるようになっている。
【００４１】
また、図４で示すように、ドア３０の隆起部４０の下部左側には、トーションばね４４の他端部を仮保持させるためのスリット４６Ａを有する係止リブ（仮保持部）４６が突設されており、ドア３０の隆起部４０の高さ方向略中央には、トーションばね４４の一端部を係止させる係止突起４８が突設されている。これにより、ドア３０及びトーションばね４４のケース１２への組立適性が向上される構成である。
【００４２】
すなわち、ドア３０とトーションばね４４をケース１２へ組み込むときには、曲折部４４Ｂが形成された一端部をドア３０の係止突起４８に係止させ、曲折部４４Ｃが形成された他端部を係止リブ４６のスリット４６Ａに係止させた状態で、コイル部４４Ａを隆起部４０側に押しつけてトーションばね４４を保持し、ドア３０とトーションばね４４を一緒に下ケース１６に突設された突出軸２８に挿嵌させればよく、比較的簡単にドア３０及びトーションばね４４をケース１２へ組み付けることができる。
【００４３】
以上のような構成のドア３０を備えた記録テープカートリッジ１０において、次にその作用について説明する。この記録テープカートリッジ１０は、不使用時（ドライブ装置に装填しないとき）には、ドア３０が開口２０を閉塞している。また、このとき、リーダーテープ２２は、その張出部２２Ｂがスロット部２４内に収納（挿入）されて保持され、左側壁１２Ｂに沿って配置されている。
【００４４】
ここで、落下等による衝撃がケース１２のコーナー部１２Ｃ付近に加えられた場合、その衝撃力は、ビスボス５０で受け止められる。つまり、ビスボス５０が支軸２５とは独立して設けられ、かつ、その支軸２５の近傍（ビスボス５０と、それに最も近い別のビスボス（図示省略）との間の直線距離の半分未満）に配置されているので、落下等によって生じる衝撃力は、ビスボス５０で受け止められ、支軸２５には直接伝達されないようにできる。したがって、支軸２５の破損（永久変形）等も抑止することができ、ドア３０の開閉に影響を及ぼさないようにできる。
【００４５】
さて、記録テープカートリッジ１０の記録テープＴにデータを記録、又は記録テープカートリッジ１０の記録テープＴに記録されたデータを再生する際には、その記録テープカートリッジ１０をドライブ装置（図示省略）へ装填する。すなわち、ドライブ装置の装填口（図示省略）に記録テープカートリッジ１０を前壁１２Ａ側から挿入する。
【００４６】
すると、その装填に伴って、ドライブ装置の開閉部材（図示省略）が相対的にドア３０の右端部（支軸２５よりも右側）へ接近、当接して、その右端部を押圧する。開閉部材がドア３０の右端部を押圧すると、ドア３０は、トーションばね４４の付勢力に抗して支軸２５を中心に図５で示す矢印方向（時計方向）へ回動し、図６で示すように、開口２０を開放する。
【００４７】
なお、このとき、トーションばね４４の一端部は、係止突起４８に係止されてドア３０の高さ方向略中央に位置しているので、トーションばね４４の付勢力は、そのドア３０の高さ方向略中央に加わる。したがって、ドア３０を安定して回動させることができる。つまり、ドア３０に対して不必要な回転モーメントが加わるような不具合がないので、ドア３０をスムーズに回動させることができる。
【００４８】
また、ドア３０の上端面３０Ａと上ケース１４の天板１４Ａ内面との間、及びドア３０の下端面３０Ｂと下ケース１６の底板１６Ａ内面との間には、それぞれ環状凸部３８によって０．３ｍｍ〜０．５ｍｍ程度の隙間Ｗが形成されている。換言すれば、ドア３０において、上ケース１４及び下ケース１６と接触しているのは、環状凸部３８だけとなっている。したがって、ドア３０を摺動抵抗少なく回動させることができる。つまり、これにより、ドア３０を更にスムーズに回動させることができる。
【００４９】
なお、そのドア３０において、少なくとも回転摺動部３２、３４及び環状凸部３８は、ＰＯＭ等のオレフィン系樹脂で成形することが望ましい。これによれば、ＰＣ等の樹脂で成形されている上ケース１４及び下ケース１６に対する摺動抵抗を更に低減することができるとともに、支軸２５に対する摺動抵抗も低減することができる。
【００５０】
また、ドア３０及びケース１２（ビスボス５０）に係止されるトーションばね４４の一端部及び他端部は、それぞれ曲折部４４Ｂ、４４Ｃとされているので、ドア３０の回動によってトーションばね４４の一端部及び他端部が、ドア３０やケース１２（ビスボス５０）に対して摺動しても、その先端がドア３０やケース１２（ビスボス５０）を削るような不具合はない。したがって、記録テープＴに対して悪影響を与える摩耗粉等が発生するような不具合はない。
【００５１】
こうして、ドア３０が回動して開口２０が開放されると、ドライブ装置の引出部材（図示省略）が左側壁１２Ｂ側から開口２０に接近し、リーダーテープ２２の孔部２２Ａと係合する。このとき、リーダーテープ２２の孔部２２Ａを含む後方側は、左側壁１２Ｂに極めて接近した状態で待機しているので、その引出部材は確実に孔部２２Ａに係合できる。
【００５２】
こうして、引出部材が孔部２２Ａに係合したら、その引出部材が開口２０から離間することにより、リーダーテープ２２がケース１２内から引き出される。そして、ケース１２内から引き出されたリーダーテープ２２は、ドライブ装置の巻取リール（図示省略）に巻回される。
【００５３】
一方、記録テープカートリッジ１０のリール１８のリールギア（図示省略）には、ドライブ装置の駆動ギア（図示省略）がギア開口（図示省略）から進入して噛合している。したがって、その巻取リールとリール１８が同期して回転することにより、記録テープＴが順次ドライブ装置側へ送り出され、そのドライブ装置の記録再生ヘッド（図示省略）によって、記録テープＴにデータの記録、又は記録テープＴに記録されたデータの再生が行われる。
【００５４】
その後、記録テープカートリッジ１０をドライブ装置から取り出すときには、まず、リール１８が巻き戻されてリーダーテープ２２が巻取リールから外され、開口２０からケース１２内に戻される。そして、その張出部２２Ｂがスロット部２４内に収納（挿入）されて、ケース１２内の所定位置に保持される。また、リールギアと駆動ギアとの噛合が解除された後、記録テープカートリッジ１０が装填口から排出されるが、この排出動作に伴って、開閉部材がドア３０の右端部から離間する。
【００５５】
すると、ドア３０はトーションばね４４の付勢力によって、支軸２５を中心に図５で示す矢印とは反対の方向（反時計方向）へ回動して、開口２０を閉塞する。この際、上記したように、トーションばね４４の一端部（曲折部４４Ｂ）は、ドア３０の高さ方向略中央に係止されているので、トーションばね４４の付勢力を好適にドア３０に伝達することができる。つまり、ドア３０に不必要な回転モーメントが加わることはないので、ドア３０は安定してスムーズに回動する。こうして、開口２０がドア３０によって閉塞された後、記録テープカートリッジ１０はドライブ装置から排出される。
【００５６】
次に、ドア３０の変形例について図７を基に説明する。この変形例で示すドア３１は、ドア３１の高さ方向略中央部に回転摺動部３２、３４と同形平板状の回転摺動部３６が平行に突設され、係止リブ４６（スリット４６Ａ）及び係止突起４８が設けられていない点が、上記ドア３０と異なっている。したがって、その他の部位には同じ符号（英字を含む）を付して詳細な説明を省略する。
【００５７】
このドア３１の回転摺動部３６は、ドア３１の高さ方向中央より若干下方（突出軸２８）側へずれた位置（上記係止突起４８と同じ位置）に配設され、突出軸２８に所定のクリアランスを有して挿嵌される貫通孔３６Ａが穿設されている。したがって、貫通孔３６Ａは、回転摺動部３４の貫通孔３４Ａと同径とされ、トーションばね４４のコイル部４４Ａは、その上端が回転摺動部３６の貫通孔３６Ａ周りで規制され、その下端が回転摺動部３４の貫通孔３４Ａ周りで支持された状態で、回転摺動部３４と回転摺動部３６の間に収容保持される。
【００５８】
また、このドア３１とトーションばね４４をケース１２へ組み込むときには、まず、トーションばね４４のコイル部４４Ａを回転摺動部３４と回転摺動部３６の間に収容し、隆起部４０側に押しつけて保持する。そして、この状態で、ドア３１とトーションばね４４を一緒に突出軸２８に挿嵌し、他端部（曲折部４４Ｃ）をビスボス５０（ビスボス５０Ｂ）に係止すればよい。したがって、トーションばね４４のケース１２への組立適性が低下するような不具合はない。
【００５９】
また、ドア３１に付勢力を与えるトーションばね４４の一端部は、ドア３１の高さ方向略中央に配設された回転摺動部３６に近接した位置で保持されるので、上記ドア３０と同様に、ドア３１に不必要な回転モーメントが加わることはない。なお、このドア３１にも、上記した係止リブ４６（スリット４６Ａ）や係止突起４８を突設して、そのトーションばね４４の他端部や一端部を係止させる構成としてもよいことは言うまでもない。
【００６０】
以上、何れにしても、記録テープカートリッジ１０に設ける回動式のドア３０、３１を上記のような構成としたので、ドア３０、３１の開閉がスムーズに安定してできる。なお、ドア３１には、回転摺動部３６を設けるため、トーションばね４４のコイル部４４Ａの高さ（巻数）が制限されるが、ドア３０には、回転摺動部３６を設けないため、そのコイル部４４Ａの高さ（巻数）が制限されない。したがって、トーションばね４４の付勢力を調整する（コイル部４４Ａの巻数を多くして強くする）必要がある場合は、ドア３０を採用すればよい。
【００６１】
また、上記実施例では、上ケース１４にボス２６を突設し、下ケース１６に突出軸２８を突設したが、上ケース１４に突出軸２８を突設し、下ケース１６にボス２６を突設してもよい。その場合は、ドア３０、３１の構成を上下逆にすればよい。つまり、係止リブ４６を上側の回転摺動部３２側に配設したり、回転摺動部３６の位置を上ケース１４側にずらせばよい。また、これにより、トーションばね４４は上ケース１４側に配置され、その他端部側の曲折部４４Ｃが、上ケース１４側のビスボス５０Ａに係止されることになるが、一端部側の曲折部４４Ｂは、ドア３０、３１の高さ方向略中央に保持されることに変わりはないので、ドア３０、３１の開閉動作はスムーズに安定してできる。
【図面の簡単な説明】
【００６２】
【図１】記録テープカートリッジの概略斜視図
【図２】同上の開口閉塞時における開口付近の概略斜視図
【図３】同上の開口開放時における開口付近の概略斜視図
【図４】同上のドアを示す開口付近の分解斜視図
【図５】同上の開口閉塞時における開口付近の概略平面図
【図６】同上の開口開放時における開口付近の概略平面図
【図７】同上のドアの変形例を示す開口付近の分解斜視図
【符号の説明】
【００６３】
１０  記録テープカートリッジ
１２  ケース
１４  上ケース
１６  下ケース
１８  リール
２０  開口
２２  リーダーテープ
２３  規制壁
２４  スロット部
２５  支軸
２６  ボス
２８  突出軸
３０  ドア
３１  ドア
３２  回転摺動部（第１鍔部）
３４  回転摺動部（第２鍔部）
３６  回転摺動部（第３鍔部）
３８  環状凸部
４０  隆起部
４４  トーションばね
４６  係止リブ（仮保持部）
４８  係止突起（係止部）
５０  ビスボス
【図１】
2006244619.tif 000003
【図２】
2006244619.tif 000004
【図３】
2006244619.tif 000005
【図４】
2006244619.tif 000006
【図５】
2006244619.tif 000007
【図６】
2006244619.tif 000008
【図７】
2006244619.tif 000009